(57)【要約】      （修正有）【課題】一度に多くの測定対象をカウントできるとともに、時系列における細かい測定対象の流動を把握することができるデジタル数取システムを提供する。【解決手段】デジタル数取システムにおいて、一度に複数のカウントが可能なカウントボタンを備えるとともに、時系列における計数をカウントできる数取器２１〜２４と、この数取器２１〜２４に設けられる無線送信装置と、この無線送信装置からのデータを受信する無線受信装置３１と、この無線受信装置３１に接続される中央データ処理用ＰＣ３２とを備える。【選択図】図４
2010224999.tif 000002
【特許請求の範囲】
【請求項１】
（ａ）一度に複数のカウントが可能なカウントボタンを備えるとともに、時系列における計数をカウントできる数取器と、
（ｂ）該数取器に設けられる無線送信装置と、
（ｃ）該無線送信装置からのデータを受信する無線受信装置と、
（ｅ）該無線受信装置に接続される中央データ処理用ＰＣとを備えることを特徴とするデジタル数取システム。
【請求項２】
請求項１記載のデジタル数取システムにおいて、前記数取器には「１」をカウントするカウントボタンの他に複数のカウントが可能なカウントボタンを備えることを特徴とするデジタル数取システム。
【請求項３】
請求項２記載のデジタル数取システムにおいて、前記複数のカウントが可能なカウントボタンが「３」をカウントするカウントボタンであることを特徴とするデジタル数取システム。
【請求項４】
請求項２記載のデジタル数取システムにおいて、前記複数のカウントが可能なカウントボタンがそれぞれ「３」と「５」をカウントするカウントボタンであることを特徴とするデジタル数取システム。
【請求項５】
請求項１記載のデジタル数取システムにおいて、前記数取器を複数箇所に配置し、広域の測定対象の流れをリアルタイムで計測することを特徴とするデジタル数取システム。
【発明の詳細な説明】
【技術分野】
【０００１】
本発明は、デジタル数取システムに係り、特に、主に交通分野及びマーケティング分野における測定対象（人や車両など）の流動、利用状況の調査システムに関するものである。
【背景技術】
【０００２】
従来の数取器は、交通分野及びマーケティング分野における測定対象の流動、利用状況の調査に用いられており、簡便な構造の計数器で測定対象を１つずつカウントするようにしている。
【先行技術文献】
【特許文献】
【０００３】
【特許文献１】特開昭６２−２６９５０号公報
【発明の概要】
【発明が解決しようとする課題】
【０００４】
しかしながら、従来の数取器では、計数は可能であるが、時刻暦との関連付けがないため時系列での細かい流動、利用状況の把握ができない。
【０００５】
また、記録システムを備えていないため、データを記録するための時間を要し、計測時間中のロスがある。
【０００６】
更に、測定対象（人や車両など）を１ずつしかカウントできないため、一度に多くの測定対象が移動する状況を迅速に計測できない。
【０００７】
本発明は、上記状況に鑑みて、一度に多くの測定対象が移動する場合でも迅速に計測することができるとともに、時系列における細かい測定対象の流動を把握することができるデジタル数取システムを提供することを目的とする。
【課題を解決するための手段】
【０００８】
本発明は、上記目的を達成するために、
〔１〕デジタル数取システムにおいて、一度に複数のカウントが可能なカウントボタンを備えるとともに、時系列における計数をカウントできる数取器と、この数取器に設けられる無線送信装置と、この無線送信装置からのデータを受信する無線受信装置と、この無線受信装置に接続される中央データ処理用ＰＣとを備えることを特徴とする。
【０００９】
〔２〕上記〔１〕記載のデジタル数取システムにおいて、前記数取器には「１」をカウントするカウントボタンの他に複数のカウントが可能なカウントボタンを備えることを特徴とする。
【００１０】
〔３〕上記〔２〕記載のデジタル数取システムにおいて、前記複数のカウントが可能なカウントボタンが「３」をカウントするカウントボタンであることを特徴とする。
【００１１】
〔４〕上記〔２〕記載のデジタル数取システムにおいて、前記複数のカウントが可能なカウントボタンがそれぞれ「３」と「５」をカウントするカウントボタンであることを特徴とする。
【００１２】
〔５〕上記〔１〕記載のデジタル数取システムにおいて、前記数取器を複数箇所に配置し、広域の測定対象の流れをリアルタイムで計測することを特徴とする。
【発明の効果】
【００１３】
本発明によれば、複数のカウントを行えるカウントボタンを備え、一度に多くの測定対象をカウントするような場合にも迅速に計測することができ、かつ時系列における細かい測定対象の流動を把握することができる。
【図面の簡単な説明】
【００１４】
【図１】本発明の実施例を示すデジタル数取システムの数取器の正面図である。
【図２】本発明の実施例を示すデジタル数取システムの数取器の側面図である。
【図３】本発明の実施例を示すデジタル数取システムの構成を示すブロック図である。
【図４】本発明の実施例を示すデジタル数取システムの全体模式図である。
【発明を実施するための形態】
【００１５】
本発明のデジタル数取システムは、一度に複数のカウントが可能なカウントボタンを備えるとともに、時系列における計数をカウントできる数取器と、この数取器に設けられる無線送信装置と、この無線送信装置からのデータを受信する無線受信装置と、この無線受信装置に接続される中央データ処理用ＰＣとを備える。
【実施例】
【００１６】
以下、本発明の実施の形態について詳細に説明する。
【００１７】
図１は本発明の実施例を示すデジタル数取システムの数取器の正面図、図２はその数取器の側面図、図３はそのデジタル数取システムの構成を示すブロック図である。
【００１８】
本発明の数取器１は正面から見ると、図１に示すように、「１」をカウントするカウントボタン２、カウント数を表示するカウント表示窓３、リセットボタン４を備えている。また、側面から見ると、図２に示すように、「１」のカウントボタン２の他に、「３」を一度にカウントするカウントボタン５、「５」を一度にカウントするカウントボタン６、数取器１の電源をオンオフするＯＮ／ＯＦＦボタン７、時刻暦を設定するタイムセットボタン８が配置されている。各ボタン２，４，５，６，７，８は数取器１のキー入力部１４として働く。この数取器１には、制御部１１、記憶部１２、タイマ回路１３、カウント表示器１５、無線送信装置１６が搭載されている。また、電源１７としては単三乾電池が装着されるように構成されている。
【００１９】
このように構成したので、例えば、一度に多くの測定対象（例えば、人）が移動するような場合でも、「１」のカウントボタン２の他に、「３」のカウントボタン５、「５」のカウントボタン６をも操作することで迅速にカウントすることができる。なお、便宜上、本実施例では「３」と「５」を一度にカウントする例を示したが、一度にカウントする数はそれ以外の数とすることもできる。
【００２０】
また、時計機構と記録機構を備えるようにしたので、数取器でカウントされた数取データは時刻情報と関連付けて記憶しておくことができる。
【００２１】
図４は本発明の実施例を示すデジタル数取システムの全体模式図である。
【００２２】
この図において、２１〜２４はＡ〜Ｄ地点に配置されたデジタル数取器であり、これらの数取器２１〜２４でそれぞれ得られた数取データは、各数取器２１〜２４の無線送信装置（この図では便宜上図示）から各数取器のアドレス、各位置情報、各時刻情報とともに送信される。送信された数取データは、無線受信装置３１を有する中央データ処理用ＰＣ（パーソナルコンピュータ）３２で収集可能になっている。つまり、中央データ処理用ＰＣ３２でリアルタイムで各数取器２１〜２４からの数取データの集計ができるように構成されている。
【００２３】
このような構成としたので、例えば、時刻情報と数取データとが一緒に収集されるため、任意の時間帯を抽出し、時間帯毎の細かい測定対象の流れを計測することができる。
【００２４】
また、位置情報を組み合わせてどの領域（位置）のどの時間帯に測定対象の移動があるかを計測することができる。
【００２５】
なお、複数の子機としての数取器２１〜２４から親機としての中央データ処理用ＰＣ３２への通信プロトコルとしては、上記特許文献１などの通信技術を使用することができる。
【００２６】
また、本発明は上記実施例に限定されるものではなく、本発明の趣旨に基づき種々の変形が可能であり、これらを本発明の範囲から排除するものではない。
【産業上の利用可能性】
【００２７】
本発明のデジタル数取システムは、時系列における細かい測定対象の流動を把握することができるデジタル数取システムとして利用可能である。
【符号の説明】
【００２８】
１    数取器
２    「１」をカウントするカウントボタン
３    カウント表示窓
４    リセットボタン
５    「３」を一度にカウントするカウントボタン
６    「５」を一度にカウントするカウントボタン
７    ＯＮ／ＯＦＦボタン
８    タイムセットボタン
１１    制御部
１２    記憶部
１３    タイマ回路
１４    キー入力部
１５    カウント表示器
１６    無線送信装置
１７    電源（単三乾電池）
２１〜２４    Ａ〜Ｄ地点に配置された数取器
３１    無線受信装置
３２    中央データ処理用ＰＣ
【図１】
2010224999.tif 000003
【図２】
2010224999.tif 000004
【図３】
2010224999.tif 000005
【図４】
2010224999.tif 000006